(57)【特許請求の範囲】
【請求項１】
子電話機を含んで構成される通信端末装置において、発信元との間での通信開始前に交換機からのＩＤ受信端末起動信号に一次応答した後に送信されてくる発信元情報を検出する発信元情報検出手段と、交換機から送信される信号からファクシミリ信号を検出する信号検出手段と、前記発信元との間での通信開始後に、前記信号検出手段がファクシミリ信号を検出しなかった場合は発信元が電話機であると判断し、ファクシミリ信号を検出した場合は発信元がファクシミリ装置であると判断する判断手段と、前記判断手段により発信元が電話機であると判断された場合、前記子電話機を呼び出す制御手段と、前記検出された発信元情報を前記子電話機に通知する通知手段とを備え、前記制御手段が前記子電話機を呼び出す場合には、前記ＩＤ受信端末起動信号を前記子電話機に送出するとともに、該子電話機が前記ＩＤ受信端末起動信号に一次応答した後、前記子電話機に発信元情報を送出することにより、先に前記交換機との間で行われた着信手順と同様の着信手順を、前記子電話機と前記制御手段との間でも実行することにより、前記発信元情報を前記子電話機に通知する通信端末装置。
【発明の詳細な説明】
【０００１】
【発明の属する技術分野】
本発明は、子電話機を接続可能で且つ、発信元の電話番号等の情報を交換機から着信側へ通知するサービス（発信元番号通知サービス）を受けることが可能なファクシミリ装置等の通信端末装置に関するものである。
【０００２】
【従来の技術】
一般に、子電話機を接続可能なファクシミリ装置では、通信モードを電話／ＦＡＸモードに設定することにより、通信相手がファクシミリ装置の場合にはファクシミリ通信を、通信相手が電話機の場合には通話を行うことができるようになっている。即ち、例えば発信元の発呼に基づき交換機から一般的な呼出信号（２秒のオフ期間をおいて１秒ずつ断続的に発信される１６Ｈｚ信号）が送信されてくると、ファクシミリ装置はその呼出信号を検出して電話回線を閉結する。そして、ファクシミリ装置は、回線閉結後に発信元からのＣＮＧ信号を検出すると、発信元がファクシミリ装置であると判断して、ファクシミリ通信動作を開始する。又、ファクシミリ装置は、ＣＮＧ信号を検出しない場合には、発信元が電話機であると判断し、子電話機に対して疑似呼出信号を送出してその子電話機を鳴動させる。そして、その鳴動に基づき使用者が子電話機をオフフックすると、発信元との間で通話を行うことができる。
【０００３】
一方、近年においては、発信元の電話番号等の情報を交換機から着信側の電話機やファクシミリ装置等の通信端末装置へ通知するサービス（発信元番号通知サービス）が実用化されている。この発信元番号通知サービスでは、交換機は、発信元の発呼に基づき通信端末装置へ一般的な呼出信号とは発信パターンの異なるＩＤ受信端末起動信号（０．５秒のオフ期間をおいて０．５秒ずつ断続的に発信される１６Ｈｚ信号）を送信する。通信端末装置はＩＤ受信端末起動信号を検出すると、回線を閉結する。回線閉結後、交換機は通信端末装置へ発信元電話番号等のデータを送信する。通信端末装置は電話番号データを受信すると回線を一旦開放する。回線開放後、交換機は通信端末装置へ一般的な呼出信号を送信する。そして、通信端末装置がファクシミリ装置であれば、交換機からの呼出信号の検出に基づき回線を閉結した後に、発信元との間でファクシミリ通信を行う。又、通信端末装置が電話機であれば、交換機からの呼出信号によって電話機が鳴動され、その鳴動に基づき使用者が子電話機をオフフックすると、発信元との間で通話を行うことができる。
【０００４】
以上のように、この発信元番号通知サービスでは、着信側装置を一般的な呼出信号で呼び出す前にＩＤ受信端末起動信号で呼び出して、発信元の電話番号等の情報を着信側装置に知らせるようにしている。従って、着信側装置では、発信元との間での通信を開始する前に、その発信元の電話番号を認識して表示部上に表示したりすることができる。
【０００５】
【発明が解決しようとする課題】
ところが、上記のような発信元番号通知サービスを受けるための機能を備えたファクシミリ装置に子電話機を接続して使用する場合には、次のような問題が生じる。即ち、ファクシミリ装置は、発信元との間での通信を開始する前に、その発信元の電話番号を認識して表示部上に表示したりすることができる。しかし、その後、ファクシミリ装置は発信元との間で通信を開始したとき、発信元が電話機である場合には子電話機を呼び出すが、その呼び出しは単に疑似呼出信号によるものであり、子電話機には発信元の電話番号は通知されない。このため、子電話機が発信元番号通知サービスを受けるための機能を備えていても、子電話機は発信元の電話番号を認識できず、子電話機の表示部上には発信元電話番号が表示されない。ファクシミリ装置に接続される子電話機は、ファクシミリ装置の設置箇所と離れた箇所に設置されることが多い。従って、使用者は子電話機をオフフックする前に発信元の電話番号を確認するといったことを行うことができない。
【０００６】
本発明は上記問題点を解消するためになされたものであって、その目的は、交換機から通知された発信元情報を子電話機に対して通知するようにして、子電話機においても発信元番号通知サービスを受けることを可能にできる通信端末装置を提供することにある。
【０００７】
【課題を解決するための手段】
上記の目的を達成するために、請求項１の発明では、子電話機を含んで構成される通信端末装置において、発信元との間での通信開始前に交換機からのＩＤ受信端末起動信号に一次応答した後に送信されてくる発信元情報を検出する発信元情報検出手段と、交換機から送信される信号からファクシミリ信号を検出する信号検出手段と、前記発信元との間での通信開始後に、前記信号検出手段がファクシミリ信号を検出しなかった場合は発信元が電話機であると判断し、ファクシミリ信号を検出した場合は発信元がファクシミリ装置であると判断する判断手段と、前記判断手段により発信元が電話機であると判断された場合、前記子電話機を呼び出す制御手段と、前記検出された発信元情報を前記子電話機に通知する通知手段とを備え、前記制御手段が前記子電話機を呼び出す場合には、前記ＩＤ受信端末起動信号を前記子電話機に送出するとともに、該子電話機が前記ＩＤ受信端末起動信号に一次応答した後、前記子電話機に発信元情報を送出することにより、先に前記交換機との間で行われた着信手順と同様の着信手順を、前記子電話機と前記制御手段との間でも実行することにより、前記発信元情報を前記子電話機に通知する。
【００１０】
従って、請求項１の発明は次のような作用を奏する。
請求項１の発明によれば、発信元との間での通信開始前に、交換機からのＩＤ受信端末起動信号に一次応答した後に送信されてくる発信元情報が発信元情報検出手段により検出される。従って、通信端末装置は発信元の電話番号等の情報を認識することができる。その後、発信元との間で通信が開始されたとき、例えば発信元からのＣＮＧ信号等のファクシミリ信号が検出されたか否かに基づき、子電話機を呼び出すか否かが判断される。そして、子電話機を呼び出す場合には、ＩＤ受信端末起動信号を子電話機に送出するとともに、子電話機がＩＤ受信端末起動信号に一次応答した後、子電話機に発信元情報を送出することにより、先に交換機との間で行われた着信手順と同様の着信手順を、子電話機と制御手段との間でも実行することにより、発信元情報が通知手段により子電話機に通知される。従って、子電話機においても、発信元の電話番号等の情報を認識することができる。
【００１３】
【発明の実施の形態】
（第１実施形態）
以下、本発明をファクシミリ装置に具体化した第１実施形態を図１〜図４に基づいて説明する。
【００１４】
図１に示すように、ファクシミリ装置１は、ファクシミリ通信動作を行うファクシミリ装置本体２と、電話回線５との接続を制御するＮＣＵ（ネットワークコントロールユニット）３と、通信相手との間で通話を行うための付属電話機４とを有している。このファクシミリ装置１は、発信元番号通知サービスを受けるための機能を有している。又、ファクシミリ装置１には図示しないケーブルを介して子電話機６が接続され、この子電話機６によっても通信相手との間で通話を行うことができる。尚、本実施形態において、子電話機６は発信元番号通知サービスを受けるための機能を有しているものとする。
【００１５】
ここで、先ず前記ファクシミリ装置本体２の構成について説明する。ＣＰＵ（中央処理装置）７はファクシミリ装置１全体の動作を制御する。ＲＯＭ（リードオンリメモリ）８は、ＣＰＵ７が制御を行うのに必要な各種のプログラム等を記憶している。ＲＡＭ（ランダムアクセスメモリ）９は、ＣＰＵ７の演算処理に必要なデータ等の各種情報を一時的に記憶する。本実施形態では、ＣＰＵ７、ＲＯＭ８及びＲＡＭ９により、判断手段が構成されている。
【００１６】
検出手段としてのモデム１０は、送受信データの変調及び復調を行うとともに、交換機から送信されてくるモデム信号としての発信元電話番号データを復調する。尚、発信元電話番号データは、具体的にはＦＳＫ（周波数変調）信号の形で送信されてくる。読取部１１は原稿上の画像を読み取るためのものであり、記録部１２は受信された画データ等に基づき記録紙上に印字を行うためのものである。キー操作部１３は、電話番号等を入力するためのテンキー等の各種操作キーを備えている。表示部１４は、入力された電話番号や、交換機から通知された発信元電話番号等の各種情報を表示する。又、交換機から通知された発信元電話番号のデータはＲＡＭ９に記憶される。
【００１７】
次に、前記ＮＣＵ３の構成について説明する。モデム１０はトランス２２を介して電話回線５と接続されている。ＣＭＬリレー２３は電話回線５とモデム１０との間に配置され、ＣＰＵ７の制御により電話回線５を閉結及び開放する。尚、電話回線５は、閉結に伴いモデム１０を介した直流ループを形成し、開放に伴いその直流ループを開放する。極性反転検出回路２４は電話回線５上を流れる電流の極性の反転を検出し、その検出結果をＣＰＵ７に出力する。
【００１８】
呼出信号検出回路２５は電話回線５に接続され、その電話回線５上の１６Ｈｚの呼出信号（一般的な呼出信号及びＩＤ受信端末起動信号を含む）を検出する。第１及び第２のオフフック検出回路２６，２７は、それぞれ付属電話機４及び子電話機６のオフフック（ハンドセットを取り上げた状態）を検出する。直流電源供給回路２８は、各電話機４，６のオフフックを検出するために、各電話機４，６に所定電流を供給する。即ち、電話機４，６がオフフックされると、交換機或いは直流電源供給回路２８から各電話機４，６に供給される電流の変化が前記オフフック検出回路２６，２７で検出される。そして、オフフック検出回路２６，２７による電流変化の検出に基づき、ＣＰＵ７は各電話機４，６のオフフックを認識する。又、直流電源供給回路２８は、一般的な呼出信号と同様な信号である１６Ｈｚの疑似呼出信号を発生して各電話機４，６を鳴動させ、使用者に着信を知らせる機能を有しているとともに、ＩＤ受信端末起動信号を発生して同信号を子電話機６に送出する機能も有している。
【００１９】
第１リレー２９及び第２リレー３０は、各電話機４，６を電話回線５側と直流電源供給回路２８側とに選択的に接続するために設けられている。そして、ＣＰＵ７の制御により各リレー２９，３０が接点ａ側に切り換えられたときには、各電話機４，６が電話回線５側に接続され、各リレー２９，３０が接点ｂ側に切り換えられたときには、各電話機４，６が直流電源供給回路２８側に接続される。
【００２０】
モデム信号発生回路３１は、ＲＡＭ９に記憶された発信元電話番号のデータをモデム信号（具体的にはＦＳＫ信号）に変調して子電話機６に送出する。本実施形態では、ＣＰＵ７、ＲＯＭ８、ＲＡＭ９及びモデム信号発生回路３１により、通知手段が構成されている。
【００２１】
次に、上記のように構成されたファクシミリ装置１の作用について説明する。さて、このファクシミリ装置１の受信時には、ＣＰＵ７の制御のもとで図２及び図３のフローチャートに示すような動作が行われる。尚、ファクシミリ装置１の通信モードは、電話／ＦＡＸモードに設定されているものとする。又、ファクシミリ装置１の通信待機時には、図１に示すように、第１及び第２リレー２９，３０が接点ａ側に切り換えられているとともに、ＣＭＬリレー２３により電話回線５が開放されている。
【００２２】
図２に示すように、通信待機状態では、交換機からのＩＤ受信端末起動信号が検出されるのが待たれる（ステップＳ１）。このような通信待機状態で、発信元でダイヤル発呼が行われると、交換機において電話回線５上を流れる電流の極性が反転された後、その交換機から電話回線５を介して１６ＨｚのＩＤ受信端末起動信号が送信されてくる。そして、このＩＤ受信端末起動信号が呼出信号検出回路２５を介して所定回数検出されると、ステップＳ２〜Ｓ７に示すような発信元番号通知サービスに対応した着信手順が実行される。
【００２３】
この通知サービスに対応した着信手順を、図４を参照しながら説明すると、先ず、ＣＭＬリレー２３により電話回線５が閉結されて、交換機との間でモデム１０を介した直流ループが形成される（ステップＳ２）。尚、フローチャートには示していないが、第１及び第２リレー２９，３０は、ＩＤ受信端末起動信号のオンの立ち上がりが検出されるのと同時に接点ａ側から接点ｂ側に切り換えられる。その結果、各電話機４，６は電話回線５から切り離されて、直流電源供給回路２８側に接続される。従って、各電話機４，６が起動信号によって鳴動したり動作を開始したりすることが防止される。
【００２４】
前記直流ループの形成が一次応答信号として交換機で検出されると、交換機からファクシミリ装置１へ発信元電話番号のデータがＦＳＫ信号として送信される。この電話番号データがモデム１０で受信されると（ステップＳ３）、同モデム１０によりその受信データが復調される。そして、モデム１０で復調されたデータに基づき発信元の電話番号が認識され、その発信元電話番号が表示部１４上に表示されるとともに、ＲＡＭ９に記憶される（ステップＳ４）。
【００２５】
又、交換機からの電話番号データが受信されると、ＣＭＬリレー２３により電話回線５が一旦開放されて、交換機との間の直流ループが開放される（ステップＳ５）。この直流ループの開放が受信完了信号として交換機で検出されると、交換機からファクシミリ装置１へ一般的な呼出信号が送信される。この呼出信号が呼出信号検出回路２５を介して所定回数検出されると（ステップＳ６）、ＣＭＬリレー２３により電話回線５が再び閉結されて直流ループが形成される（ステップＳ７）。この直流ループの形成が二次応答信号として交換機で検出されると、電話回線５の極性が交換機において復極された後、発信元と着信側のファクシミリ装置１との間で通信が開始される。
【００２６】
このようにして通知サービスに対応した着信手順が行われて、発信元との間での通信が開始されると、ＣＮＧ信号の検出が所定時間待たれる（ステップＳ８，Ｓ９）。ここで、所定時間以内に発信元からのＣＮＧ信号がモデム１０を介して検出されると、発信元がファクシミリ装置であると判断されて、その発信元との間でファクシミリ通信手順が実行される（ステップＳ１０）。又、所定時間内にＣＮＧ信号が検出されない場合には、発信元が電話機であると判断されて、図３のステップＳ１１に移行する。
【００２７】
そして、ステップＳ１１においては、第１リレー２９が接点ａ側に切り換えられて、付属電話機４が直流電源供給回路２８から切り離される。続いて、ステップＳ１２〜Ｓ２０に示すように、先に交換機とファクシミリ装置１との間で行われた発信元番号通知サービスに対応した着信手順（図４参照）と同様な着信手順が、ファクシミリ装置１と子電話機６との間でも実行される。
【００２８】
即ち、先ず、直流電源供給回路２８にて極性反転後、ＩＤ受信端末起動信号が発生されて、同起動信号が子電話機６に送出される（ステップＳ１２）。この起動信号が子電話機６で検出されると、子電話機６にてフックスイッチ（図示せず）が閉じる。このフックスイッチは、通常は子電話機６がオフフックされたときに、回線を閉結するために閉じるものである。フックスイッチが閉じると、子電話機６とファクシミリ装置１との間に直流電源供給回路２８を介した直流ループが形成される。この直流ループの形成が、第２のオフフック検出回路２７を介して一次応答信号として検出されると（ステップＳ１３）、先にＲＡＭ９に記憶された発信元電話番号のデータが、モデム信号発生回路３１にてＦＳＫ信号に変調されて、子電話機６に送出される（ステップＳ１５）。又、一次応答信号が検出されることなく、前記起動信号の送出開始から所定時間が経過した場合には（ステップＳ１４）、処理が終了される。
【００２９】
発信元電話番号のデータが子電話機６にて受信されると、その発信元電話番号が子電話機６の表示部（図示せず）上に表示されるとともに、子電話機６にてフックスイッチが一旦開かれる。このフックスイッチの開放により、子電話機６とファクシミリ装置１との間の直流ループが開放される。この直流ループの開放が、第２のオフフック検出回路２７を介して受信完了信号として検出されると（ステップＳ１６）、第１リレー２９が接点ｂ側に切り換えられて、付属電話機４が直流電源供給回路２８側に接続される（ステップＳ１８）。又、受信完了信号が検出されることなく、前記電話番号データの送出開始から所定時間が経過した場合には（ステップＳ１７）、処理が終了される。
【００３０】
前記ステップＳ１８の処理後、直流電源供給回路２８にて疑似呼出信号が発生されて、同信号が付属電話機４及び子電話機６に送出される（ステップＳ１９）。その結果、各電話機４，６が鳴動される。この鳴動に基づき使用者が何れかの電話機４，６のハンドセットをオフフックすると、そのオフフックが第１或いは第２のオフフック検出回路２６，２７を介して二次応答信号として検出される（ステップＳ２０）。
【００３１】
ファクシミリ装置１の表示部１４上には、前記ステップＳ３で交換機から通知された発信元電話番号が表示されている。付属電話機４はファクシミリ装置１に一体的に設けられているものであるため、使用者は、付属電話機４をオフフックする前であっても、表示部１４を見ることにより、発信元電話番号を確認することができる。
【００３２】
これに対して、子電話機６はファクシミリ装置１の設置箇所と離れた箇所に設置されることが多い。しかし、子電話機６の表示部上には、前記ステップＳ１５でファクシミリ装置１から通知された発信元電話番号が表示されている。このため、使用者は、子電話機６をオフフックする前であっても、その子電話機６の表示部を見ることにより、発信元電話番号を確認することができる。
【００３３】
前記ステップＳ２０において二次応答信号が検出されると、第１及び第２リレー２９，３０が接点ｂ側から接点ａ側に切り換えられるとともに、ＣＭＬリレー２３が開かれてモデム１０を介した直流ループが開放される（ステップＳ２１）。その結果、各電話機４，６が電話回線５側に接続され、使用者はオフフックした電話機４，６を使用して発信元との間で通話を行うことができる。通話の終了に伴い使用者が電話機４，６をオンフックしたことが、第１或いは第２のオフフック検出回路２６，２７を介して検出されると（ステップＳ２２）、処理が終了される。
【００３４】
本実施形態のファクシミリ装置１は上記のように動作するので、次のような優れた効果を奏する。
（１）交換機からのＩＤ受信端末起動信号の検出に基づき、交換機との間で発信元番号通知サービスに対応した着信手順が実行されて、交換機から送信されてくる発信元電話番号のデータが受信される。このため、ファクシミリ装置１は、発信元との間での通信を開始する前に、その発信元の電話番号を認識して表示部１４上に表示したりすることができる。その後、発信元との間で通信が開始されたとき、発信元からのＣＮＧ信号が検出されたか否かに基づき、ファクシミリ通信を行うか或いは子電話機６を呼び出すかが判断される。そして、子電話機６を呼び出す場合には、その子電話機６との間で発信元番号通知サービスに対応した着信手順と同様な着信手順が行われて、先に交換機から受信した発信元番号が子電話機６に通知される。従って、子電話機６の表示部上にも発信元電話番号を表示させることができ、子電話機６がファクシミリ装置１の設置箇所と離れた箇所に設置されていても、使用者は、子電話機６をオフフックする前に発信元電話番号を確認することができる。
【００３５】
（第２実施形態）
次に、本発明の第２実施形態について、図１及び図５に基づいて説明する。
さて、前記第１実施形態のファクシミリ装置１は、交換機からのＩＤ受信端末起動信号の検出に基づき電話回線５を閉結した後に、交換機からの電話番号データを受信するようになっている。又、子電話機６がファクシミリ装置１からのＩＤ受信端末起動信号に一次応答した後に、その子電話機６に電話番号データを送出するようになっている。つまり、第１実施形態では、ファクシミリ装置１及びそれに接続される子電話機６が、日本国内で提供されている発信元番号通知サービスに対応した動作を行うように構成されており、日本国内において、日本仕様の子電話機６をファクシミリ装置１に接続して使用する場合に好適である。
【００３６】
それに対して、この第２実施形態では、ファクシミリ装置１及びそれに接続される子電話機６が、米国内で提供されている発信元番号通知サービスに対応した動作を行うように構成されている。即ち、米国における通知サービスは、日本における通知サービスとは異なり、交換機から着信側に送信される断続的な呼出信号のオフ期間中に、発信元の電話番号データ等を１２００ｂｐｓのモデム信号として交換機から着信側に送信するものである。このような米国における通知サービスに対応できるようにするため、この第２実施形態では、図１に２点鎖線で示すように、交流結合部３２がＣＭＬリレー２３と並列に接続されている。この交流結合部３２は、コンデンサ及び抵抗を直列に接続してなるものであり、電話回線５上を伝送される呼出信号間に含まれるモデム信号を、モデム１０側に通過させる。又、図１に示すモデム信号発生回路３１として、ＲＡＭ９に記憶された発信元電話番号のデータを米国の通知サービスに対応したモデム信号に変調して子電話機６に送出するものが使用される。
【００３７】
さて、この第２実施形態のファクシミリ装置１の受信時には、ＣＰＵ７の制御のもとで図５のフローチャートに示すような動作が行われる。即ち、通信待機状態で、発信元の発呼に基づき交換機から電話回線５を介して呼出信号が送信されてきて、その呼出信号が呼出信号検出回路２５を介して検出されると（ステップＳ３１）、呼出信号のオフ期間中に送信されてくるモデム信号が、モデム１０で受信されたか否かが判断される（ステップＳ３２）。ここで、モデム信号が受信された場合には、そのモデム信号がモデム１０で復調され、その復調データに基づき発信元の電話番号が認識されて、その発信元電話番号が表示部１４上に表示されるとともに、ＲＡＭ９に記憶される（ステップＳ３３）。その後、ステップＳ３４に移行する。又、モデム信号が受信されない場合には、そのままステップＳ３４に移行する。
【００３８】
尚、フローチャートには示していないが、前記第１実施形態の場合と同様に、第１及び第２リレー２９，３０は、呼出信号のオンの立ち上がりが検出されるのと同時に接点ａ側から接点ｂ側に切り換えられる。
【００３９】
ステップＳ３４においては、ＣＭＬリレー２３により電話回線５が閉結されて直流ループが形成される（ステップＳ３４）。この直流ループの形成が交換機で検出された後、発信元と着信側のファクシミリ装置１との間で通信が開始される。
【００４０】
このようにして米国の通知サービスに対応した着信手順が行われて、発信元との間での通信が開始されると、ＣＮＧ信号の検出が所定時間待たれる（ステップＳ３５，Ｓ３６）。ここで、所定時間以内に発信元からのＣＮＧ信号がモデム１０を介して検出されると、その発信元との間でファクシミリ通信手順が実行される（ステップＳ３７）。又、所定時間内にＣＮＧ信号が検出されない場合には、ステップＳ３８，Ｓ３９に示すように、先に交換機とファクシミリ装置１との間で行われた米国の通知サービスに対応した着信手順と同様な着信手順が、ファクシミリ装置１と子電話機６との間でも実行される。
【００４１】
即ち、交換機からの呼出信号と同じ信号である疑似呼出信号が、直流電源供給回路２８から付属電話機４及び子電話機６に送出される。更に、ＲＡＭ９内の発信元電話番号データが、モデム信号発生回路３１にてモデム信号に変調され、そのモデム信号が疑似呼出信号のオフ期間中に各電話機４，６に送出される（ステップＳ３８）。尚、フローチャートには示していないが、前記ステップＳ３２においてモデム信号が受信されなかった場合には、各電話機４，６に対して疑似呼出信号のみが送出される。
【００４２】
ファクシミリ装置１からのモデム信号つまり発信元電話番号データが子電話機６にて受信されると、その発信元電話番号が子電話機６の表示部（図示せず）上に表示される。又、各電話機４，６は、ファクシミリ装置１からの疑似呼出信号によって鳴動される。この鳴動に基づき使用者が何れかの電話機４，６のハンドセットをオフフックすると、そのオフフックが第１或いは第２のオフフック検出回路２６，２７を介して検出される（ステップＳ３９）。
【００４３】
オフフックが検出されると、第１及び第２リレー２９，３０が接点ｂ側から接点ａ側に切り換えられるとともに、ＣＭＬリレー２３が開かれる（ステップＳ４０）。その結果、各電話機４，６が電話回線５側に接続され、使用者はオフフックした電話機４，６を使用して発信元との間で通話を行うことができる。通話の終了に伴い使用者が電話機４，６をオンフックしたことが、第１或いは第２のオフフック検出回路２６，２７を介して検出されると（ステップＳ４１）、処理が終了される。
【００４４】
以上のように、この第２実施形態においても、子電話機６の表示部上には、ファクシミリ装置１から通知された発信元電話番号が表示される。このため、前記第１実施形態と同様に、子電話機６がファクシミリ装置１の設置箇所と離れた箇所に設置されていても、使用者は、子電話機６をオフフックする前に発信元電話番号を確認することができる。
【００４５】
又、この第２実施形態では、米国内において、米国仕様の子電話機６をファクシミリ装置１に接続して使用する場合に好適である。
尚、この発明は例えば以下のように変更して具体化してもよい。
【００４６】
（１）交換機との間で日本の発信元番号通知サービスに対応した動作を行うファクシミリ装置１に、米国の発信元番号通知サービスに対応した動作を行う子電話機６を接続して使用できるようにすること。この場合には、ファクシミリ装置１として、図２のステップＳ１〜Ｓ７の動作を行った後に、図５のステップＳ３５に移行してＳ３５〜Ｓ４１の動作を行うようなものとすればよい。このようにすれば、日本国内において、米国仕様の電話機をファクシミリ装置１に接続して使用することが可能となる。
【００４７】
（２）交換機との間で米国の発信元番号通知サービスに対応した動作を行うファクシミリ装置１に、日本の発信元番号通知サービスに対応した動作を行う子電話機６を接続して使用できるようにすること。この場合には、ファクシミリ装置１として、図５のステップＳ３１〜Ｓ３４の動作を行った後に、図２のステップＳ８に移行してＳ８〜Ｓ２２の動作を行うようなものとすればよい。このようにすれば、米国内において、日本仕様の電話機をファクシミリ装置１に接続して使用することが可能となる。
【００４８】
前記実施形態から把握できる技術的思想について以下に述べる。
（１）前記検出手段は、回線閉結後に交換機から送信されてくる発信元情報を検出するものであり、前記通知手段は、子電話機を呼び出すための呼出信号のオフ期間中に発信元情報を通知するものである請求項１に記載の通信端末装置。
【００４９】
このようにすれば、日本国内において、米国仕様の電話機を通信端末装置に接続して使用することが可能となる。
（２）前記検出手段は、呼出信号が発信されているオン期間の間のオフ期間中に送信されてくる発信元情報を検出するものであり、前記通知手段は、子電話機が呼び出しに応答した後に発信元情報を通知するものである請求項１に記載の通信端末装置。
【００５０】
このようにすれば、米国内において、日本仕様の電話機を通信端末装置に接続して使用することが可能となる。
【００５１】
【発明の効果】
以上詳述したように、本発明によれば次のような優れた効果を奏する。
請求項１の発明によれば、交換機から通知された発信元情報が子電話機に対して通知されるので、子電話機においても発信元番号通知サービスを受けることが可能となる。
【図面の簡単な説明】
【図１】  本発明を具体化したファクシミリ装置の第１実施形態を示す回路構成図。
【図２】  ファクシミリ装置の受信時における動作を示すフローチャート。
【図３】  ファクシミリ装置の受信時における動作を示すフローチャート。
【図４】  発信元番号通知サービスにおける着信手順を示す説明図。
【図５】  第２実施形態のファクシミリ装置の受信時における動作を示すフローチャート。
【符号の説明】
１…ファクシミリ装置、６…子電話機、７…判断手段及び通知手段を構成するＣＰＵ、８…判断手段及び通知手段を構成するＲＯＭ、９…判断手段及び通知手段を構成するＲＡＭ、１０…検出手段としてのモデム、３１…通知手段を構成するモデム信号発生回路。
【図１】
0003669041.tif 000002
【図２】
0003669041.tif 000003
【図３】
0003669041.tif 000004
【図４】
0003669041.tif 000005
【図５】
0003669041.tif 000006